(57)【要約】【課題】組立工程において切断刃に接着剤が付着しないようにするための煩雑な操作を不要とする収容箱を提供する。【解決手段】収容箱は、ロール状に巻かれたラップフィルムを収容する箱部と、箱部に接続された蓋部と、蓋部の蓋前板（５３）の下端に接続され、ラップフィルムを切断する切断刃（７）と、切断刃（７）を覆うとともに箱部の箱前板（２３）に剥離可能に接着される開封片（５５）と、凸部（１１）とを備えている。凸部（１１）は、開封片（５５）と箱前板（２３）とを圧着する際に、接着部（６０）を構成する接着剤が切断刃（７）側に移動するのを阻止する。開封片（５５）は蓋前板（５３）に対して切り離し可能に接続されている。箱前板（２３）に接着された開封片（５５）が箱前板（２３）から剥離されると、開封片（５５）は蓋前板（５３）から切り離され、切断刃（７）が露出される。【選択図】図５
2019011121.tif 000002
【特許請求の範囲】
【請求項１】
ロール状に巻かれた長尺物を収容する箱部と、
前記箱部に回動可能に接続された蓋部と、
前記蓋部の蓋前板の下端に接続され、前記箱部から引き出された前記長尺物を切断する切断刃と、
前記切断刃を覆うとともに前記箱部の箱前板に剥離可能に接着されている開封片と、
前記開封片および前記箱前板を接着する接着部と、前記切断刃、との間に設けられ、当該開封片と当該箱前板とを圧着する際に、前記接着部を構成する接着剤が前記切断刃側に移動するのを阻止する阻止部とを備え、
前記阻止部は前記開封片および前記箱前板の少なくともいずれか一方に設けられ、
前記開封片は前記蓋前板に対して切り離し可能に接続されているとともに、前記蓋部の開封前には、前記蓋部は前記箱前板に接着されており、
前記開封片が前記箱前板から剥離されると、当該開封片が当該蓋前板から切り離されるとともに前記切断刃が露出され、前記蓋部が開封される、収容箱。
【請求項２】
前記阻止部は前記開封片または前記箱前板に形成された１または複数の凸部および／または凹部である、請求項１に記載の収容箱。
【請求項３】
前記凸部の高さ、または前記凹部の深さが、０．０５ｍｍ以上、０．５０ｍｍ以下である、請求項２に記載の収容箱。
【請求項４】
前記凸部および／または前記凹部はエンボス加工によって形成されている請求項２または３に記載の収容箱。
【請求項５】
前記切断刃は正面視Ｖ字状に露出され、前記阻止部は前記切断刃の最先端付近に設けられている、請求項１〜４のいずれか１項に記載の収容箱。
【請求項６】
前記阻止部は前記蓋部の閉状態において前記切断刃の刃先の先端から０．５ｍｍ以上離れている、請求項５に記載の収容箱。
【請求項７】
前記阻止部は前記箱前板に設けられている、請求項１〜６のいずれか１項に記載の収容箱。
【発明の詳細な説明】
【技術分野】
【０００１】
本発明は収容箱に関し、詳細にはロール状に巻かれたラップフィルム等の長尺物を収容する収容箱に関する。
【背景技術】
【０００２】
ラップフィルムがロール状に巻かれたフィルムロールを収容するとともに、収容されたラップフィルムを所望の長さに切断可能な、切断刃を有するラップフィルム収容箱が知られている。
【０００３】
ラップフィルム収容箱の一例として、特許文献１に開示のラップフィルム収納ケースが存在する。このラップフィルム収納ケースでは、ラップフィルムが収納される収納部の外面に凹部が形成されている。ただし、この凹部はラップフィルムを掴んで引き出すときに、ラップフィルムの先端をケースの外面で容易に掴むことができるように設けられているに過ぎない。
【先行技術文献】
【特許文献】
【０００４】
【特許文献１】特開平１１−３０１６６０号公報
【発明の概要】
【発明が解決しようとする課題】
【０００５】
上述したラップフィルム収容箱は、印刷および打ち抜き加工が施されたカートンブランクに切断刃を取り付けた後、貼り機を使用して開封片を収容箱本体に接着することによって組み立てられている。その際、開封片と収容箱本体との接着は、例えば接着剤を塗布した開封片を収容箱本体に対して圧着することによって行う。ところが、圧着力の程度によっては接着剤がはみ出して切断刃に付着してしまうことがある。そのため、ラップフィルム収容箱の組立工程において細心の注意を払わななければならなかった。具体的には、接着剤の塗布量、塗布位置、貼り圧力等の微調整が必要であり、また、接着剤の量を少なくしてしまうと接着不良になる恐れもあり、操作が煩雑であった。
【０００６】
本発明は上記問題に鑑みてなされたものであり、その目的は、組立工程において切断刃に接着剤が付着しないようにするための煩雑な操作を不要とする収容箱を提供することにある。
【課題を解決するための手段】
【０００７】
上記課題を解決するために、本発明に係る収容箱は、ロール状に巻かれた長尺物を収容する箱部と、箱部に回動可能に接続された蓋部と、蓋部の蓋前板の下端に接続され、箱部から引き出された長尺物を切断する切断刃と、切断刃を覆うとともに箱部の箱前板に剥離可能に接着されている開封片と、開封片および箱前板を接着する接着部と、切断刃、との間に設けられ、開封片と箱前板とを圧着する際に、接着部を構成する接着剤が切断刃側に移動するのを阻止する阻止部とを備え、阻止部は、開封片および箱前板の少なくともいずれか一方に設けられ、開封片は、蓋前板に対して切り離し可能に接続されているとともに、蓋部の開封前には、蓋部は箱前板に接着されており、開封片が箱前板から剥離されると、開封片が蓋前板から切り離されるとともに切断刃が露出され、蓋部が開封される。
【０００８】
この構成によれば、開封片と箱前板とを接着するときの圧着力によって接着剤が切断刃側に移動しようとしても、阻止部によって接着剤の切断刃側への移動は阻止される。そのため、収容箱の組立工程において切断刃に接着剤が付着しないようにするための煩雑な操作は不要となり、組立工程によって切れ味が損なわれる虞のない収容箱を提供することができる。
【０００９】
本発明に係る収容箱において、阻止部は開封片または箱前板に形成された１または複数の凸部および／または凹部であることが好ましい。
【００１０】
この構成によれば、凸部によって接着剤が切断刃側へと移動するのを塞き止めることができる。また、凹部によって切断刃側へと移動する接着剤を吸収することができる。
【００１１】
本発明に係る収容箱において、凸部の高さ、または凹部の深さは、０．０５ｍｍ以上、０．５ｍｍ以下であることが好ましい。
【００１２】
この構成によれば、接着剤が切断刃側に移動するのを確実に防ぐことができる。
【００１３】
本発明に係る収容箱において、凸部および／または凹部はエンボス加工によって形成されていることが好ましい。
【００１４】
この構成によれば、凸部または凹部を容易に形成することができる。
【００１５】
本発明に係る収容箱において、切断刃は正面視Ｖ字状に露出され、阻止部は切断刃の最先端付近に設けられていることが好ましい。
【００１６】
この構成によれば、長尺物の切断に最も寄与する切断刃部分に接着剤が付着するのを回避できる。
【００１７】
本発明に係る収容箱において、阻止部は、蓋部の閉状態において切断刃の刃先の先端から０．５ｍｍ以上離れていることが好ましい。
【００１８】
この構成によれば、切断刃に接着剤が付着するのを確実に防ぐことができる。
【００１９】
本発明に係る収容箱において、阻止部は箱前板に設けられていることが好ましい。
【００２０】
この構成によれば、蓋部の開封前は、阻止部は開封片によって覆われる。そのため阻止部によって収容箱の外観が損なわれることはない。
【発明の効果】
【００２１】
本発明に係る収容箱によれば、組立工程において切断刃に接着剤が付着しないようにするための煩雑な操作が不要な収容箱を提供することができる。
【図面の簡単な説明】
【００２２】
【図１】図１は、本発明の第１の実施形態に係る収容箱を概略的に示す斜視図である。
【図２】図２は、本発明の第１の実施形態に係る収容箱を概略的に示す他の斜視図である。
【図３】図３は、本発明の第１の実施形態に係る収容箱を概略的に示すさらに他の斜視図である。
【図４】図４は、図１に示すＩＶ部分の拡大図である。
【図５】図５は、図４に示すＶ−Ｖ線における拡大断面図である。
【図６】図６は、図５に示すＶＩ部分の拡大図である。
【図７】図７は、図２に示すＶＩＩ部分の拡大図である。
【図８】図８は、本発明の第２の実施形態に係る収容箱を概略的に示す斜視図である。
【図９】図９は、図８に示すＩＸ部分の拡大図である。
【図１０】図１０は、図９に示すＸ−Ｘ線の拡大断面図である。
【図１１】図１１は、図１０に示すＸＩ部分の拡大図である。
【発明を実施するための形態】
【００２３】
〔第１の実施形態〕
本発明の一実施形態に係る収容箱について図１〜図３を参照して説明する。図１〜図３は、本発明の一実施形態に係る収容箱を概略的に示す斜視図である。
【００２４】
これらの図を参照して説明すると、収容箱１は、主として、箱部２と、蓋部５と、切断刃７と、箱部２の箱前板２３に剥離可能に接着されている開封片５５と、箱前板２３に形成された凸部（阻止部）１１とから構成されている。
【００２５】
箱部２は、上方が開口した箱体として形成されており、ロール状に巻かれたラップフィルム（長尺物）９を収容する。蓋部５は箱部２の開口１２を覆うようにして箱部２に対して回動可能に接続されている。本実施形態において、箱部２と蓋部５とはボール紙によって形成されている。切断刃７は蓋前板５３の下端に沿って取り付けられた鋸状のプラスチック製の刃であって、箱部２から引き出されたラップフィルム９を切断するものである。開封片５５は、収容箱１において蓋部５を開封するためのであり、蓋前板５３に対して切り離し可能に接続されている。なお本実施形態において開封片５５は蓋前板５３の一部から構成されている。具体的には、開封片５５は蓋前板５３に形成されたミシン目４３によって蓋前板５３から部分的に切り離すことができるように構成されている。また、開封片５５が蓋前板５３から切り離されていない状態において、開封片５５は切断刃７を覆っている。蓋部５の開封前において、開封片５５は箱部２の箱前板２３に接着剤で接着されている。そして蓋部５を開封するときには、箱前板２３に接着された開封片５５を箱前板２３から剥離する。そうすると、開封片５５はミシン目４３に沿って蓋前板５３から切り離されるとともに切断刃７が露出され、蓋部５が開封される。なお、本実施形態では、開封片５５が切り離されると、切断刃７は正面視Ｖ字状に露出されるように構成されている。なお、このような構成による効果については後述する。
【００２６】
次に、上述した凸部１１について図４〜図７に基づいて詳細に説明する。
【００２７】
図４は図１に示すＩＶ部分の拡大図である。図５は図４に示すＶ−Ｖ線における拡大断面図である。図６は図５に示すＶＩ部分の拡大図である。図７は図２に示すＶＩＩ部分の拡大図である。
【００２８】
これらの図を参照して説明すると、凸部１１は、箱前板２３の一部が開封片５５側に向かって突出するように箱前板２３をエンボス加工することによって形成されたものである。凸部１１は、開封片５５と箱前板２３とを圧着する際に、接着部６０を構成する接着剤が切断刃７側に移動するのを阻止するものである。凸部１１は、箱前板２３において、開封片５５および箱前板２３を接着する接着部６０と、切断刃７、との間に設けられている。その際、図６に示すように箱前板２３の板厚方向の凸部１１の高さを（Ｈ）とすると、凸部１１の高さ（Ｈ）は、好ましくは０．０５ｍｍ以上、０．５０ｍｍ以下であり、より好ましくは０．１０ｍｍ以上、０．４０ｍｍ以下であり、さらに好ましくは０．１５ｍｍ以上、０．３５ｍｍ以下である。また、図７に示すように、蓋部の閉状態において、切断刃７の刃先７５の先端は凸部１１から離れている。切断刃７の刃先７５の先端から凸部１１までの距離を（Ｄ１）とすると、距離（Ｄ１）が好ましくは０．５ｍｍ以上であり、より好ましくは１．０ｍｍ以上であり、さらに好ましくは１．５ｍｍ以上である。なお、本明細書において「閉状態」とは、図２に示すように蓋部５が完全に閉じられた状態をいう。また、上記距離は、切断刃７の刃先７５と凸部１１との間の鉛直方向の最短距離である。
【００２９】
本実施形態に係る収容箱１の組立工程においては、凸部１１よりも鉛直方向下方側の、箱前板２３または開封片５５に接着剤を塗布する。それから箱前板２３と開封片５５とを接着する。その際、例えば箱前板２３側に部分的にニスを塗布し、開封片５５側に帯状に接着剤と塗布してから、箱前板２３と開封片５５とを接着してもよい。このようにすれば、開封片５５を剥離しやすくなる。その後、箱部２を筒状に起こし、箱部２の端部からロール状に巻かれたラップフィルム９を箱部２に収納する。本実施形態によれば、箱前板２３と開封片５５とを接着する際の圧着力によって切断刃７側へと移動する接着剤は、凸部１１によって堰き止められる。そのため、接着剤が凸部１１を超えて切断刃７側に移動することはないため、箱前板２３と開封片５５とを接着する接着部６０は、凸部よりも鉛直方向下方に形成される。これによれば、収容箱１の組立工程において、切断刃７に接着剤が付着しないようにするための煩雑な操作が不要となるとともに、組立工程によって切断刃７の切れ味が損なわれる虞はない。
【００３０】
ここで再度図７を参照して説明すると、上述したように、本実施形態では、開封片５５が切り離されると、切断刃７は正面視Ｖ字形状に露出される。このような構成とすることで、ラップフィルム９を切断するとき、最初に切断刃７の頂点部にある刃がラップフィルム９を突き刺す。切断刃７は、一度に差し込む刃の本数を最小にすることから、差し込みに必要な力を小さくできる一方、ラップフィルム９に対して大きな圧力をかけることができ、ラップフィルム９を切断し易くなる。なお、このような構成の場合には、凸部１１は、正面視Ｖ字形状に露出される切断刃７の最先端付近に形成されていることが好ましい。
【００３１】
〔第２の実施形態〕
本発明の第２の実施形態に係る収容箱について図８〜１１を参照して説明する、なお、本実施形態に係る収容箱は、第１の実施形態で説明した凸部１１（図２等を参照）とは異なる形状の阻止部を有している以外は、基本的な収容箱の構造は第１の実施形態と共通する。そこで本実施形態では第１の実施形態と異なる部分を中心として説明する。また、以下の説明において、第１の実施形態において説明した各部材と同一の機能を有する部材は同一の符号を用い、その説明は省略する。
【００３２】
図８は本発明の第２の実施形態に係る収容箱であって、開封片を剥離した後の収容箱の状態を示す。図９は図８に示すＩＸ部分の拡大図である。図１０は図９に示すＸ−Ｘ線における拡大断面図である。図１１は図１０に示すＸＩ部分の拡大図である。
【００３３】
これらの図を参照して説明すると、収容箱６１の箱部６２の箱前板７３には、凹部７１が形成されている。凹部７１は、箱前板７３の一部が開封片５５側に向かって陥没するように箱前板７３をエンボス加工することによって形成されている。ここで図１１に示すように箱前板７３の板厚方向の凹部の深さを（Ｄ）とすると、凹部７１の深さ（Ｄ）は好ましくは０．０５ｍｍ以上、０．５０ｍｍ以下であり、より好ましくは０．１０ｍｍ以上、０．４０ｍｍ以下であり、さらに好ましくは０．１５ｍｍ以上、０．３５ｍｍ以下である。
【００３４】
本実施形態によれば、箱前板７３と開封片５５とを接着するときの圧着力によって接着剤が移動しても、切断刃７側に移動する接着剤は凹部７１に吸収される。そのため、開封片５５と箱前板７３とを接着する接着部８０は、凹部７１よりも鉛直方向下方に形成される。そのため、本実施形態によれば、実施形態１と同様に、収容箱６１の組立工程において、切断刃７に接着剤が付着しないようにするための煩雑な操作が不要となる。
【００３５】
なお、上記各実施形態においては、特定形状を有する阻止部について説明したが、本発明に係る阻止部は、蓋前板と開封片とを接着する際の圧着力によって接着剤が切断刃側へ移動するのを阻止できる構成であれば、阻止部は他の形状を有していてもよい。また、阻止部の形成方法は上述した方法に限定されるものではない。
【００３６】
また、上記各実施形態において１つの阻止部を有する収容箱について説明したが、本発明に係る収容箱は、２つ以上の複数の阻止部を有していてもよい。
【００３７】
また、上記の各実施形態において、阻止部は箱前板に設けられている構成について説明したが、本発明に係る阻止部は、開封片および箱前板の少なくともいずれか一方に設けられていればよい。
【００３８】
さらに、上記各実施形態において、長尺物としてラップフィルムを用いて説明したが、本発明に係る長尺物は、本発明に係る収容箱にロールに巻かれた状態で収容可能なものであれば特に限定されない。また、長尺物は、アルミニウム箔および紙シート等であってもよい。さらに、長尺物には他の加工処理が施されていてもよい。またさらに、長尺物がラップフィルムの場合には、ラップフィルムの材質は特に限定されず、ポリ塩化ビニリデンフィルムおよびポリエチレンフィルム等の材質を挙げることができる。
【００３９】
さらに、上記各実施形態では、特定形状を有する箱部について説明したが、本発明に係る箱部は、ロール状に巻かれた長尺物を収容可能な形状であれば他の形状を有していてもよい。
【００４０】
さらに上記各実施形態では特定形状を有する切断刃について説明したが、本発明の切断刃は、長尺物を切断可能であれば他の形状を有していてもよい。また、切断刃の材質は特に限定されるものではない。
【００４１】
さらに上記各実施形態では切断刃と阻止部との間は特に限定されず、少なくとも阻止部が切断刃と接着部との間に設けられていればよい。
【００４２】
また、上記各実施形態において箱前板側に形成された阻止部について説明したが、阻止部は開封片側に設けられていてもよい。なお、収容箱の外観上の観点から、阻止部は箱板部側に形成されていることが好ましい。
【実施例】
【００４３】
＜箱の作成＞
〔実施例１〕
打ち抜き加工およびエンボス加工を行った厚紙（ＵＦコート、王子製紙社製）に切断刃を取り付けた後、貼り機を用いて開封片を箱本体の蓋前板に接着し、箱部に回動可能な蓋が接続された箱Ａを作成した。箱Ａの具体的な構成は以下の通りである。
【００４４】
収容箱全体のサイズ：幅約３１５ｍｍ、奥行き約４４ｍｍ、高さ約４４ｍｍ
エンボス加工：試験用収容箱を完全に閉じた状態において、正面視Ｖ字形状の切断刃の先端から鉛直方向３ｍｍの位置に、幅２ｍｍ、長さ３０ｍｍ、高さ０．２０ｍｍの凸状のエンボス加工を施した。
【００４５】
開封片：蓋部の蓋前部の一部にミシン目を形成することで、開封片とした。
【００４６】
〔実施例２〕
エンボス加工において、凹状のエンボス加工を施した以外は実施例１と同様にして箱Ｂを作成した。
【００４７】
〔比較例１〕
エンボス加工を行わなかった以外は実施例１と同様にして箱Ｃを得た。
【００４８】
＜剥離試験＞
箱（Ａ）〜（Ｃ）のそれぞれについて、開封片を箱部から剥離した。そして開封片側に付着した接着剤部分について、開封片の上端からの距離を測定した。この操作を５回繰り返した。結果を表１に示す。
【００４９】
【表１】
2019011121.tif 000003
【産業上の利用可能性】
【００５０】
本発明に係る収容箱は、ロール状に巻かれたラップフィルム等の長尺物を収容する収容箱として利用することができる。
【符号の説明】
【００５１】
１、６１  収容箱
２、６２  箱部
５  蓋部
７  切断刃
９  ラップフィルム（長尺物）
１１  凸部（阻止部）
２３、７３  箱前板
５３  蓋前板
５５  開封片
６０、８０  接着部
７１  凹部（阻止部）
【図１】
2019011121.tif 000004
【図２】
2019011121.tif 000005
【図３】
2019011121.tif 000006
【図４】
2019011121.tif 000007
【図５】
2019011121.tif 000008
【図６】
2019011121.tif 000009
【図７】
2019011121.tif 000010
【図８】
2019011121.tif 000011
【図９】
2019011121.tif 000012
【図１０】
2019011121.tif 000013
【図１１】
2019011121.tif 000014